【手続補正書】
【提出日】平成16年11月19日(2004.11.19)
【手続補正１】
【補正対象書類名】明細書
【補正対象項目名】請求項１
【補正方法】変更
【補正の内容】
【請求項１】
送信出力を変化させる機能を持った送信機に設けられ、当該送信機が送信しようとする信号を増幅する増幅装置であって、
前記信号には、振幅および角度の両変調成分が含まれており、
前記送信機は、当該増幅装置の前段において予め前記信号または当該信号中の振幅変調成分のレベルを調整することにより送信出力を変化させるように構成されており、
前記信号を振幅変調成分と角度変調成分とに分離する分離手段、
前記分離手段が分離して得られた振幅変調成分を増幅する第１の増幅器、
前記第１の増幅器から出力される増幅後の振幅変調成分が電源電圧として印加され、前記分離手段が分離して得られた角度変調成分を増幅すると同時に、振幅変調成分と角度変調成分とを合成する第２の増幅器、および
前記送信機の送信出力が変化するのに応じて、前記第１の増幅器に印加される電源電圧を制御する電源電圧制御手段を備える、送信機用増幅装置。
【手続補正２】
【補正対象書類名】明細書
【補正対象項目名】請求項１６
【補正方法】変更
【補正の内容】
【請求項１６】
振幅変調成分を増幅する第１の増幅器と、当該第１の増幅器から出力される増幅後の振幅変調成分が電源電圧として印加され、角度変調成分を増幅すると同時に、振幅変調成分と角度変調成分とを合成する第２の増幅器とを具備したＥＥ＆Ｒ増幅装置において、増幅モードを切り替える方法であって、
前記第２の増幅器の出力電力が所定のしきい値を跨いで変化したか否かを判定するステップ、および
当該判定の結果が肯定である場合に、振幅変調成分および角度変調成分を前記第１および第２の増幅器で別々に増幅するＥＥ＆Ｒモードと、振幅変調成分および角度変調成分を前記第２の増幅器で線形増幅する線形モードとの間で増幅モードを切り替えるステップを備える、増幅モード切替方法。
【手続補正３】
【補正対象書類名】明細書
【補正対象項目名】請求項１８
【補正方法】変更
【補正の内容】
【請求項１８】
振幅変調成分を増幅する第１の増幅器と、当該第１の増幅器から出力される増幅後の振幅変調成分が電源電圧として印加され、角度変調成分を増幅すると同時に、振幅変調成分と角度変調成分とを合成する第２の増幅器とを具備したＥＥ＆Ｒ増幅装置において、増幅モードを切り替える方法をコンピュータ処理可能に記述したプログラムであって、
前記第２の増幅器の出力電力が所定のしきい値を跨いで変化したか否かを判定するステップ、および
当該判定の結果が肯定である場合に、振幅変調成分および角度変調成分を前記第１および第２の増幅器で別々に増幅するＥＥ＆Ｒモードと、振幅変調成分および角度変調成分を前記第２の増幅器で線形増幅する線形モードとの間で増幅モードを切り替えるステップを備える、プログラム。
【手続補正４】
【補正対象書類名】明細書
【補正対象項目名】請求項１９
【補正方法】変更
【補正の内容】
【請求項１９】  送信出力を変化させる機能を持った送信機に設けられ、当該送信機が送信しようとする信号を増幅する増幅装置であって、
前記信号には、振幅および角度の両変調成分が含まれており、
前記送信機が、異なる複数の変調方式のいずれかを用いて前記信号を変調する機能を持っており、
前記信号を振幅変調成分と角度変調成分とに分離する分離手段、
前記分離手段が分離して得られた振幅変調成分を増幅する第１の増幅器、
前記第１の増幅器から出力される増幅後の振幅変調成分が電源電圧として印加され、前記分離手段が分離して得られた角度変調成分を増幅すると同時に、振幅変調成分と角度変調成分とを合成する第２の増幅器、および
前記信号の変調方式によって、前記第１の増幅器に印加される電源電圧を制御する電源電圧制御手段を備える、送信機用増幅装置。
【手続補正５】
【補正対象書類名】明細書
【補正対象項目名】００１４
【補正方法】変更
【補正の内容】
【００１４】
【課題を解決するための手段および発明の効果】
第１の発明は、送信出力を変化させる機能を持った送信機に設けられ、当該送信機が送信しようとする信号を増幅する増幅装置であって、
信号には、振幅および角度の両変調成分が含まれており、
送信機は、当該増幅装置の前段において予め信号または当該信号中の振幅変調成分のレベルを調整することにより送信出力を変化させるように構成されており、
信号を振幅変調成分と角度変調成分とに分離する分離手段、
分離手段が分離して得られた振幅変調成分を増幅する第１の増幅器、
第１の増幅器から出力される増幅後の振幅変調成分が電源電圧として印加され、分離手段が分離して得られた角度変調成分を増幅すると同時に、振幅変調成分と角度変調成分とを合成する第２の増幅器、および
送信機の送信出力が変化するのに応じて、第１の増幅器に印加される電源電圧を制御する電源電圧制御手段を備える。
【手続補正６】
【補正対象書類名】明細書
【補正対象項目名】００４２
【補正方法】変更
【補正の内容】
【００４２】
上記第１３の発明では、第２の増幅器の出力電力が低下して所定のしきい値を下回った瞬間、ＥＥ＆Ｒモードから線形モードへの移行が実行される。
なお、上記第１２，１３の発明のような切替手段は、例えば直流電源と、ＣＰＵおよびメモリを含んだ制御回路とにより構成される。このメモリには上記のしきい値と、下記第１６の発明のような増幅モード切替方法を記述したプログラムとが記憶されている。あるいは、直流電源の代わりに、時定数の大きなキャパシタを用いても、出力電力が小さいとき第２の増幅器に直流電圧が印加されるようにすることができる。
【手続補正７】
【補正対象書類名】明細書
【補正対象項目名】００４６
【補正方法】変更
【補正の内容】
【００４６】
第１６の発明は、振幅変調成分を増幅する第１の増幅器と、当該第１の増幅器から出力される増幅後の振幅変調成分が電源電圧として印加され、角度変調成分を増幅すると同時に、振幅変調成分と角度変調成分とを合成する第２の増幅器とを具備したＥＥ＆Ｒ増幅装置において、増幅モードを切り替える方法であって、
第２の増幅器の出力電力が所定のしきい値を跨いで変化したか否かを判定するステップ、および
当該判定の結果が肯定である場合に、振幅変調成分および角度変調成分を第１および第２の増幅器で別々に増幅するＥＥ＆Ｒモードと、振幅変調成分および角度変調成分を第２の増幅器で線形増幅する線形モードとの間で増幅モードを切り替えるステップを備える。
【手続補正８】
【補正対象書類名】明細書
【補正対象項目名】００４８
【補正方法】変更
【補正の内容】
【００４８】
第１９の発明は、送信出力を変化させる機能を持った送信機に設けられ、当該送信機が送信しようとする信号を増幅する増幅装置であって、
信号には、振幅および角度の両変調成分が含まれており、
送信機が、異なる複数の変調方式のいずれかを用いて信号を変調する機能を持っており、
信号を振幅変調成分と角度変調成分とに分離する分離手段、
分離手段が分離して得られた振幅変調成分を増幅する第１の増幅器、
第１の増幅器から出力される増幅後の振幅変調成分が電源電圧として印加され、分離手段が分離して得られた角度変調成分を増幅すると同時に、振幅変調成分と角度変調成分とを合成する第２の増幅器、および
信号の変調方式によって、第１の増幅器に印加される電源電圧を制御する電源電圧制御手段を備える。
【手続補正９】
【補正対象書類名】明細書
【補正対象項目名】００５３
【補正方法】変更
【補正の内容】
【００５３】
入力端子１０１は、包絡線検波回路１０２を介して増幅器１０４の入力側と接続され、また振幅制限回路１０３を介して増幅器１０５と接続される。増幅器１０４の出力側は、増幅器１０５のコレクタまたはドレイン（ＣorＤ）と接続され、増幅器１０５の出力側が出力端子１０７と接続される。増幅器１０４のコレクタまたはドレイン（ＣorＤ）には、当初一定の電源電圧が印加され、以降電源電圧制御部１０９を通じ、送信機の送信出力に応じた電源電圧が印加される。
【手続補正１０】
【補正対象書類名】明細書
【補正対象項目名】００５４
【補正方法】変更
【補正の内容】
【００５４】
出力電力計測部１０８は、増幅器１０５の出力側と接続されており、増幅器１０５から出力される信号の電力を計測する。電源電圧制御部１０９は、出力電力計測部１０８の計測結果を受け、増幅器１０４に印加されている電源電圧を、出力電力の変動に追従させるように制御する。
【手続補正１１】
【補正対象書類名】明細書
【補正対象項目名】００６０
【補正方法】変更
【補正の内容】
【００６０】
図４は、図１の電源電圧制御部１０９の動作例を示すフローチャートである。図４において、動作が開始されると、出力電力計測部１０８から電源電圧制御部１０９（の制御回路１０９ａ）へ、計測された出力電力値が定期的に通知される。制御回路１０９ａは、出力電力値の通知を受け（ステップＳ１０１）、その値を前回の値と比較することにより、増幅器１０５の出力電力に変化があるか否かを判定する（ステップＳ１０２）。
【手続補正１２】
【補正対象書類名】明細書
【補正対象項目名】００６８
【補正方法】変更
【補正の内容】
【００６８】
増幅モード切替部１１０は、２つのスイッチ１１０ａおよび１１０ｂと、制御回路１１０ｃとで構成される。制御回路１１０ｃには、出力電力計測部１０８の計測結果が与えられる。制御回路１１０ｃは、与えられた測定結果（増幅器１０５の出力電力）に基づいてＥＥ＆Ｒモードおよび線形モードの２種類の増幅モードのどちらかを選択し、選択したモードで増幅が行われるようにスイッチ１１０ａおよび１１０ｂを制御する。
【手続補正１３】
【補正対象書類名】明細書
【補正対象項目名】００６９
【補正方法】変更
【補正の内容】
【００６９】
スイッチ１１０ａは、ＥＥ＆Ｒモード時、入力端子１０１を包絡線検波回路１０２および振幅制限回路１０３の両回路に接続し、線形モード時、入力端子１０１を増幅器１０５に接続する。スイッチ１１０ｂは、ＥＥ＆Ｒモード時、増幅器１０４の出力を増幅器１０５に接続し、線形モード時、直流電源を増幅器１０５に接続する。
【手続補正１４】
【補正対象書類名】明細書
【補正対象項目名】００７０
【補正方法】変更
【補正の内容】
【００７０】
従って、ＥＥ＆Ｒモード時には、第１の実施形態と同様、入力端子１０１は、包絡線検波回路１０２を介して増幅器１０４の入力側と接続され、また振幅制限回路１０３を介して増幅器１０５と接続される。増幅器１０４の出力側は、増幅器１０５のコレクタまたはドレイン（ＣorＤ）と接続され、増幅器１０５の出力側が出力端子１０７と接続される。ただし、第１の実施形態とは異なり、増幅器１０４のコレクタまたはドレイン（ＣorＤ）には、常時一定の電源電圧が印加される。
【手続補正１５】
【補正対象書類名】明細書
【補正対象項目名】００７５
【補正方法】変更
【補正の内容】
【００７５】
一方、線形モード時には、以下のような増幅動作が行われる。入力端子１０１に信号が入力されると、その信号が直接（つまり振幅変調成分と角度変調成分とを含んだ状態で）、増幅器１０５に入力される。このとき増幅器１０５のコレクタまたはドレイン（ＣorＤ）には直流電圧が印加されており、増幅器１０５では、入力された信号を線形増幅する動作が行われる。こうして、増幅器１０５からは、増幅された信号、すなわち増幅された振幅変調成分および増幅された角度変調成分を含んだ信号が出力される。
【手続補正１６】
【補正対象書類名】明細書
【補正対象項目名】００７７
【補正方法】変更
【補正の内容】
【００７７】
図６は、図５の増幅モード切替部１１０の動作例を示すフローチャートである。図６において、動作が開始されると、出力電力計測部１０８から増幅モード切替部１１０（の制御回路１１０ｃ）へ、計測された出力電力が定期的に通知される。制御回路１１０ｃは、初回の出力電力値の通知を受け（ステップＳ２０１）、その値がしきい値以上であるか否かを判定する（ステップＳ２０２）。
【手続補正１７】
【補正対象書類名】明細書
【補正対象項目名】００８１
【補正方法】変更
【補正の内容】
【００８１】
ステップＳ２０８の判定結果が否定の場合、制御回路１１０ｃは、スイッチ１１０ａ，１１０ｂへ制御信号を送ることにより、線形モードからＥＥ＆Ｒモードへの切り替えを指示し（ステップＳ２１０）、その後ステップＳ２１１へ進む。
ステップＳ２１１では、動作を継続するか否かの判断が行われ、継続する場合はステップＳ２０５へ戻って、上記と同様の処理が繰り返される。継続しない場合は、動作が終了される。
【手続補正１８】
【補正対象書類名】明細書
【補正対象項目名】００８２
【補正方法】変更
【補正の内容】
【００８２】
なお、ここでは出力電力が小さくなると直流電源を増幅器１０５に接続したが、これに限らず、例えば図７に示すように、増幅器１０４の後段にスイッチ１１０ｄを介して時定数の大きなキャパシタを設け、出力電力が小さくなるとこのスイッチ１１０ｄをＯＮにすることによっても、増幅器１０５に直流電圧（すなわち振幅変動の十分小さな電圧）が印加されるようにすることができる。
【手続補正１９】
【補正対象書類名】明細書
【補正対象項目名】００８７
【補正方法】変更
【補正の内容】
【００８７】
増幅モード切替部１１０は、２つのスイッチ１１０ａおよび１１０ｂと、制御回路１１０ｃとで構成される。制御回路１１０ｃには、出力電力計測部１０８の計測結果が与えられる。制御回路１１０ｃは、与えられた測定結果（増幅器１０５の出力電力）に基づいてＥＥ＆Ｒモードおよび線形モードの２種類の増幅モードのどちらかを選択し、選択したモードで増幅が行われるようにスイッチ１１０ａおよび１１０ｂを制御する。
【手続補正２０】
【補正対象書類名】明細書
【補正対象項目名】００８８
【補正方法】変更
【補正の内容】
【００８８】
スイッチ１１０ａは、ＥＥ＆Ｒモード時、入力端子１０１を包絡線検波回路１０２および振幅制限回路１０３の両回路に接続し、線形モード時、入力端子１０１を増幅器１０５に接続する。スイッチ１１０ｂは、ＥＥ＆Ｒモード時、増幅器１０４の出力を増幅器１０５に接続し、線形モード時、直流電源を増幅器１０５に接続する。
【手続補正２１】
【補正対象書類名】明細書
【補正対象項目名】００８９
【補正方法】変更
【補正の内容】
【００８９】
従って、ＥＥ＆Ｒモード時には、第１の実施形態と同様、入力端子１０１は、包絡線検波回路１０２を介して増幅器１０４の入力側と接続され、また振幅制限回路１０３を介して増幅器１０５と接続される。増幅器１０４の出力側は、増幅器１０５のコレクタまたはドレイン（ＣorＤ）と接続され、増幅器１０５の出力側が出力端子１０７と接続される。また、第１の実施形態と同様、増幅器１０４のコレクタまたはドレイン（ＣorＤ）には、当初一定の電源電圧が印加され、以降電源電圧制御部１０９を通じ、送信機の送信出力に応じた電源電圧が印加される。
【手続補正２２】
【補正対象書類名】明細書
【補正対象項目名】００９５
【補正方法】変更
【補正の内容】
【００９５】
一方、線形モード時には、以下のような増幅動作が行われる。入力端子１０１に信号が入力されると、その信号が直接（つまり振幅変調成分と角度変調成分とを含んだ状態で）、増幅器１０５に入力される。このとき増幅器１０５のコレクタまたはドレイン（ＣorＤ）には直流電圧が印加されており、増幅器１０５では、入力された信号を線形増幅する動作が行われる。こうして、増幅器１０５からは、増幅された信号、すなわち増幅された振幅変調成分および増幅された角度変調成分を含んだ信号が出力される。
【手続補正２３】
【補正対象書類名】明細書
【補正対象項目名】００９７
【補正方法】変更
【補正の内容】
【００９７】
なお、ここでは出力電力が小さくなると直流電源を増幅器１０５に接続したが、これに限らず、例えば図７に示すように、増幅器１０４の後段にスイッチ１１０ｄを介して時定数の大きなキャパシタを設け、出力電力が小さくなるとこのスイッチ１１０ｄをＯＮにすることによっても、増幅器１０５に直流電圧が印加されるようにすることができる。
【手続補正２４】
【補正対象書類名】明細書
【補正対象項目名】図７
【補正方法】変更
【補正の内容】
【図７】
図５において、直流電源の代わりに、時定数の大きなキャパシタを用いて直流電圧を印加する例を示した図ある。